(57)【特許請求の範囲】
【請求項１】
取水した海水を加圧して逆浸透膜を透過させて透過水を得て、前記逆浸透膜を透過しない濃縮海水を系外に放流する海水淡水化装置からの、前記濃縮海水を下水処理場から排出される処理水と混合し、
前記濃縮海水の放流管である濃縮海水放流管に設置された塩分濃度計及び濃縮海水流量計で計測された前記濃縮海水の塩分濃度及び濃縮海水流量と、混合濃縮海水の塩分濃度の設定目標値に基づいて、前記濃縮海水と前記処理水を混合した混合濃縮海水を前記設定目標値に調整するために必要な必要処理水流量を求めて、前記処理水の流量を調整することで該必要処理水流量と前記濃縮海水流量との混合比を調整し、
前記処理水が混合された混合濃縮海水を海域に放流することを特徴とする海水淡水化装置の濃縮海水放流方法。
【請求項２】
請求項１に記載の海水淡水化装置の濃縮海水放流方法において、
前記下水処理場からの処理水流量のうち、前記濃縮海水に混合する必要処理水流量を除いた余分の処理水流量が存在する場合、該余分の処理水流量を処理水放流分岐管から放流することを特徴とする海水淡水化装置の濃縮海水放流方法。
【請求項３】
請求項１に記載の海水淡水化装置の濃縮海水放流方法において、
前記混合濃縮海水の塩分濃度を塩分濃度計により測定して、前記混合濃縮海水の塩分濃度設定目標値と塩分濃度測定値との偏差に応じて濃縮海水と下水処理水との混合比を調整することを特徴とする海水淡水化装置の濃縮海水放流方法。
【請求項４】
請求項１に記載の海水淡水化装置の濃縮海水放流方法において、
前記混合濃縮海水の放流海域に海水の塩分濃度を測定する塩分濃度計を配置し、該塩分濃度計で測定された塩分濃度と予め設定した前記放流海域における塩分濃度規準値との偏差に応じて、濃縮海水流量と処理水流量との混合比を調整することを特徴とする海水淡水化装置の濃縮海水放流方法。
【請求項５】
請求項４に記載の海水淡水化装置の濃縮海水放流方法において、
前記混合濃縮海水の放流海域の複数の箇所で塩分濃度を測定し、測定された塩分濃度の内、最大値の塩分濃度を選定して、選定された塩分濃度と塩分濃度目標値との偏差を求めることを特徴とする海水淡水化装置の濃縮海水放流方法。
【請求項６】
請求項１に記載の海水淡水化装置の濃縮海水放流方法において、
前記濃縮海水が放流される海域に塩分濃度を測定する塩分濃度計を配置して、前記塩分濃度計の測定値が予め設定された塩分濃度目標値よりも高いとき、下水処理場からの処理水を前記海域に放流前の濃縮海水に混合し、混合した後の混合濃縮海水を海域に放流することを特徴とする海水淡水化装置の濃縮海水放流方法。
【請求項７】
請求項６に記載の海水淡水化装置の濃縮海水放流方法において、
前記下水処理場から系外に放流される処理水の全流量を海水淡水化装置から放流される濃縮海水に混合することを特徴とする海水淡水化装置の濃縮海水放流方法。
【請求項８】
請求項１に記載の海水淡水化装置の濃縮海水放流方法において、
前記濃縮海水が放流される濃縮海水放流管と前記処理水が放流される処理水放流管とを合流させ、前記濃縮海水と前記処理水の合流後の下流側を前記濃縮海水が放流される海域内に臨ませたことを特徴とする海水淡水化装置の濃縮海水放流方法。
【請求項９】
請求項８に記載の海水淡水化装置の濃縮海水放流方法において、
前記海水淡水化装置の設置位置が前記下水処理場の設置位置よりも低位置にあり高低差を有することを特徴とする海水淡水化装置の濃縮海水放流方法。
【発明の詳細な説明】
【技術分野】
【０００１】
本発明は海水淡水化装置から排出される濃縮海水放流方法に係り、特に、濃縮海水の放流域への生態系への影響を軽減するのに好適な海水淡水化装置の濃縮海水放流方法に関する。
【背景技術】
【０００２】
海水を原水とした海水淡水化装置には、逆浸透膜モジュールを備えた逆浸透膜造水装置が用いられ、一般に、取水する海水中の濁質分を凝集処理後、砂ろ過器またはＭＦ膜等を用いた膜ろ過により凝集処理後の濁質分を除去し、供給水として逆浸透膜装置に加圧供給して透過水を得る手段が採られる。また、海水中には微生物また藻類等が存在するが、これらが逆浸透膜面に付着して増殖するとバイオファウリングの要因となるため、必要に応じて取水海水には、凝集処理前の段階で殺菌を目的として残留性を有する塩素水または次亜塩素酸ナトリウム等の塩素系殺菌剤を注入する塩素注入処理が採られる。
【０００３】
このような海水淡水化装置において、逆浸透膜を通過した透過水が淡水として得られる一方、逆浸透膜を通過しなかった塩分が濃縮された濃縮海水が排出される。この海水淡水化装置から排出される濃縮海水の塩分濃度は、透過水の回収率が大きくするに従い高くなる。透過水回収率４０％〜６０％では、濃縮海水の塩分濃度は約６％から８％となり、通常海水（溶解性ＮａＣｌ、約３.５％）の約１.７倍〜２.５倍に達するが、現状では直接取水海域に放流されている。
【０００４】
この場合、高濃度の濃縮海水の海域への放流に伴い、海洋生態系への影響が懸念される。このため、例えば、〔特許文献１〕で知られているように、濃縮海水の放流に際して、濃縮海水よりも塩分濃度の低い海水と混合して濃縮海水の塩分濃度を低くして放流する方法が提案されている。しかし、海水で濃縮海水を希釈するため、図１３に海水混合比と海水混合後の濃縮海水塩分濃度の関係を示すように、放流する濃縮海水量に対して十数倍以上の海水量を混合しないと、通常海水の塩分濃度付近に達しない。このため、海水で通常海水の塩分濃度近くまで濃縮海水を希釈しようとすると、取水海水量以上の希釈海水を必要とし、これに要するポンプ設備と多大な動力は対応策を実質的に困難とする。一方、海水混合比を低くすれば、希釈海水を得る設備と動力は減少するが、海域に放流される濃縮海水の塩分濃度が高くなる。この結果、放流濃縮海水による海洋生態系への影響を回避することが困難となる。
【先行技術文献】
【特許文献】
【０００５】
【特許文献１】特開平８−１３２０１７号公報
【発明の概要】
【発明が解決しようとする課題】
【０００６】
上述したように海水淡水化装置にあっては、淡水として得られる透過水とは別に、必然的に濃縮海水が発生するため、この濃縮海水の海域への放流に伴い海洋生態系への影響が常に懸念される。
【０００７】
本発明の目的は、海水淡水化装置から濃縮海水を海域に放流するに際して、放流海域における塩分濃度上昇を抑制して海洋生態系への影響が低減可能な海水淡水化装置の濃縮海水放流方法を提供することにある。
【課題を解決するための手段】
【０００８】
本発明の海水淡水化装置の濃縮海水放流方法は、取水した海水を加圧して逆浸透膜を透過させて透過水を得て、逆浸透膜を透過しない濃縮海水を系外に放流する海水淡水化装置からの、濃縮海水を下水処理場から排出される処理水と混合し、処理水が混合された混合濃縮海水を海域に放流することを特徴とする。
【０００９】
又、混合濃縮海水の放流管である濃縮海水放流管に設置された塩分濃度計及び濃縮海水流量計で計測された濃縮海水の塩分濃度及び濃縮海水流量と、混合濃縮海水の塩分濃度の設定目標値に基づいて下水処理場からの処理水の流量である必要処理水流量を求めて、必要処理水流量と濃縮海水流量との混合比を調整することを特徴とする。
【００１０】
又、下水処理場からの処理水流量のうち、濃縮海水に混合する必要処理水流量を除いた余分の処理水流量が存在する場合、余分の処理水流量を処理水放流分岐管から放流することを特徴とする。
【００１１】
又、混合濃縮海水の塩分濃度を塩分濃度計により測定して、混合濃縮海水の塩分濃度設定目標値と塩分濃度測定値との偏差に応じて濃縮海水と下水処理水との混合比を調整することを特徴とする。
【００１２】
又、混合濃縮海水の放流海域に海水の塩分濃度を測定する塩分濃度計を配置し、塩分濃度計で測定された塩分濃度と予め設定した前記放流海域における塩分濃度規準値との偏差に応じて、濃縮海水流量と処理水流量との混合比を調整することを特徴とする。
【００１３】
又、混合濃縮海水の放流海域の複数の箇所で塩分濃度を測定し、測定された塩分濃度の内、最大値の塩分濃度を選定して、選定された塩分濃度と塩分濃度目標値との偏差を求めることを特徴とする。
【００１４】
又、取水した海水を加圧して逆浸透膜を透過させて透過水を得て、逆浸透膜を透過しない濃縮海水を系外に放流する海水淡水化装置から、濃縮海水が放流される海域に塩分濃度を測定する塩分濃度計を配置して、塩分濃度計の測定値が予め設定された塩分濃度目標値よりも高いとき、下水処理場からの処理水を前記海域に放流前の濃縮海水に混合し、混合した後の混合濃縮海水を海域に放流することを特徴とする。
【００１５】
又、下水処理場から系外に放流される処理水の全流量を海水淡水化装置から放流される濃縮海水に混合することを特徴とする。
【００１６】
又、取水した海水を加圧して逆浸透膜を透過させて透過水を得て、逆浸透膜を透過しない濃縮海水を系外に放流する海水淡水化装置と、流入下水を処理して処理水を系外に放流する下水処理場とを備え、濃縮海水が放流される濃縮海水放流管と前記処理水が放流される処理水放流管とを合流させ、濃縮海水と処理水の合流後の下流側を濃縮海水が放流される海域内に臨ませたことを特徴とする。
【００１７】
又、海水淡水化装置の設置位置が下水処理場の設置位置よりも低位置にあり高低差を有することを特徴とする。
【発明の効果】
【００１８】
本発明によれば、海水淡水化装置から放流される塩分濃度の高い濃縮海水に下水処理場から放流される処理水を混合して放流することによって、海水淡水化装置からの濃縮海水を海域に放流するに際して、放流海域における塩分濃度の上昇が抑制されて、海洋生態系への影響が低減可能な海水淡水化装置の濃縮海水放流方法が得られる。
【図面の簡単な説明】
【００１９】
【図１】本発明の実施例１に係る海水淡水化装置の濃縮海水放流方法を説明するシステム構成図である。
【図２】本実施例の海水淡水化装置のシステム構成図である。
【図３】本実施例の下水処理場の活性汚泥法による処理システムの一例を示す構成図である。
【図４】本実施例の混合比と混合後の塩分濃度の関係図である。
【図５】本発明の実施例２に係る海水淡水化装置の濃縮海水放流方法を説明するシステム構成図である。
【図６】本実施例の海水淡水化装置の濃縮海水放流方法のシステムフローの詳細図である。
【図７】本実施例の混合比と塩分濃度目標値との関係図である。
【図８】本発明の実施例３に係る海水淡水化装置の濃縮海水放流方法を説明するシステム構成図である。
【図９】本発明の実施例４に係る海水淡水化装置の濃縮海水放流方法を説明するシステム構成図である。
【図１０】本発明の実施例５に係る海水淡水化装置の濃縮海水放流方法を説明するシステム構成図である。
【図１１】本発明の実施例６に係る海水淡水化装置の濃縮海水放流方法を説明するシステム構成図である。
【図１２】本発明の実施例７に係る海水淡水化装置の濃縮海水放流方法を説明する部分システム構成図である。
【図１３】混合比と海水混合後の塩分濃度の関係図である。
【発明を実施するための形態】
【００２０】
発明者らは上述した目的を達成するため、海水淡水化装置から濃縮海水を海域に放流するに際して、放流海域における塩分濃度の上昇の抑制方法を検討した。この結果、濃縮海水を海域に放流するに際して、流入下水が下水処理場で処理されて系外に放流される塩分含有の少ない処理水を濃縮海水に混合したもの（以下、混合濃縮海水という）を海域に放流すれば、塩分濃度を低下させた混合濃縮海水を海域に放流するので、放流する海域における塩分濃度上昇を抑制できることを究明した。
【００２１】
このように、取水海水を供給水として逆浸透膜に加圧供給して透過水を得て、逆浸透膜の被透過水側から濃縮海水が系外に放流される海水淡水化装置において、濃縮海水を下水処理場から排出される処理水と混合して、処理水が混合された混合濃縮海水を海域に放流することを特徴とする。
【００２２】
濃縮海水を下水処理場から流出される処理水と混合することによって、処理水が混合された混合濃縮海水中の塩分濃度は低下し、塩分濃度の低い混合濃縮海水を海域に放流することができるので、海水淡水化装置から排出される濃縮海水を海域に直接放流する場合に比較して放流海域における塩分濃度の上昇が抑制される。
【００２３】
この結果、海水淡水化装置から濃縮海水を海域に放流するに際して、放流海域における塩分濃度上昇が抑制されるので、海洋生態系への影響が低減可能な海水淡水化装置の濃縮海水放流方法を提供することができる。
【００２４】
又、濃縮海水の塩分濃度と濃縮海水流量及び混合濃縮海水の塩分濃度の設定目標値に基づいて必要処理水流量を求めて、必要処理水流量と濃縮海水流量との混合比を調整することを特徴とする。
【００２５】
海水淡水化装置から放流される濃縮海水と下水処理場からの処理水と混合して、混合濃縮海水として海域に放流する場合、濃縮海水流量に混合する下水処理水流量が少なく、濃縮海水流量と下水処理水流量との混合比が適正値でないと、混合濃縮海水の塩分濃度が充分に希釈されずに高くなる。この状態では、塩分濃度が高い混合濃縮海水が海域に放流されることになり、海域における海洋生態系への影響が懸念される。
【００２６】
そこで、予め求めた濃縮海水の塩分濃度に基づいて、下水処理水を混合した後の混合濃縮海水の塩分濃度が設定目標値になるように、濃縮海水の塩分濃度と濃縮海水流量及び処理水を混合した後の混合濃縮海水の設定目標値に基づいて、濃縮海水に混合する必要処理水流量を求めて、混合比を調整するようにしたものである。このようにすると、下水処理水を混合した後の混合濃縮海水の塩分濃度は設定目標値となるように維持され、混合濃縮海水の海域放流に伴う海洋生態系への影響を解消することが可能となる。
【００２７】
又、上述したように、海水淡水化装置から放流される濃縮海水に下水処理水を混合する場合、濃縮海水流量と下水処理水流量との混合比を必要処理水流量で調整することを特徴とする。
【００２８】
海水淡水化装置において、供給水（海水）は高圧ポンプにて５〜８ＭＰａ程度まで加圧されて逆浸透膜に供給され、供給海水の３０〜６０％が透過水（淡水）として回収される。この場合、選定した逆浸透膜に応じて回収率（供給海水量に対する淡水造水量）を設定した一定の回収率に維持することが求められる。そして、海水淡水化装置の運転条件は回収率を優先することを前提とした条件で運転され、高圧ポンプによる加圧圧力を制御して一定回収率としている。
【００２９】
このため、回収率を一定とすると逆浸透膜から淡水として取出される透過水流量も一定となる。一方、逆浸透膜の被透過水側から放流される濃縮海水の流量も一定となり、海水淡水化装置からは略一定流量の濃縮海水が放流されることになる。このため、濃縮海水流量を増減して混合比を調整することは困難で、むしろ、一定流量の特性を生かして必要処理水流量を増減して混合比を調整することが容易である。
【００３０】
このように、海水淡水化装置から放流される濃縮海水と下水処理水との混合比を調整して、混合濃縮海水の塩分濃度を設定値に維持するに際して、混合比の調整を混合下水処理水流量で行えば容易に調整することができる。
【００３１】
又、濃縮海水と下水処理水とを混合した後の混合濃縮海水の塩分濃度を測定して、混合濃縮海水の塩分濃度設定目標値と塩分濃度測定値との偏差に応じて濃縮海水と下水処理水との混合比を調整することを特徴とする。
【００３２】
海水淡水化装置からの濃縮海水に下水処理水を混合して混合後の混合濃縮海水の塩分濃度を設定目標値に維持する場合、混合濃縮海水の塩分濃度が目標値よりも高くなるようなことがあると、放流海域に塩分濃度の高い混合濃縮海水が放流されることになる。この結果、放流海域における海洋生態系への影響が懸念される。
【００３３】
そこで、混合濃縮海水を放流海域に放流するに際して、混合濃縮海水の塩分濃度を測定して、この塩分濃度と塩分濃度設定目標値との偏差に応じて混合比を調整するようにしたものである。このようにした場合、混合濃縮海水の塩分濃度が高いと、目標値との偏差に応じて混合比を高く調整して下水処理水量を増加させ、混合濃縮海水の塩分濃度を目標値に維持させることになる。これにより、混合濃縮海水は設定した塩分濃度に維持されて海域に放流されることになるので、高塩分濃度濃縮海水放流に伴う海洋生態系への影響は抑制される。
【００３４】
又、混合濃縮海水の放流海域に海水の塩分濃度を測定する塩分濃度計を配置し、この塩分濃度計で測定された塩分濃度と予め設定した前記放流海域における塩分濃度規準値との差分に応じて、濃縮海水流量と処理水流量との混合比を調整することを特徴とする。
【００３５】
海水淡水化装置から放流される濃縮海水と下水処理水とを混合して、混合濃縮海水として海域に放流する場合、放流海域において混合濃縮海水の分散が充分に進行しないと、塩分濃度が高くなる恐れがある。一方、濃縮海水量に対する下水処理水量が少なく混合比の調整に不具合があると、放流される混合濃縮海水の塩分濃度が高くなる。結果的に、この影響を海洋生態系が受けることになり、放流海域における塩分濃度の情報に基づいた混合濃縮海水の放流操作が必要となる。
【００３６】
そこで、混合濃縮海水の放流海域における塩分濃度の情報をベースに、海水淡水化装置から放流される濃縮海水流量と下水処理場からの処理水流量との混合比を調整するため、放流海域に配置した塩分濃度計で測定された塩分濃度と予め設定した放流海域における塩分濃度目標値との偏差に応じて混合比を調整するようにしたものである。
【００３７】
このようにした場合、混合濃縮海水の放流領域における測定された塩分濃度が高い場合、同海域における塩分濃度目標値との偏差に応じて下水処理流量を増加させて混合比を高く調整し、放流する海域における塩分濃度を目標値に維持させることになる。これにより、混合濃縮海水の放流海域における塩分濃度は設定された塩分濃度目標値に維持され、放流する海域における塩分濃度が高くなるのが抑制されて、高塩分濃度による海洋生態系への影響を解消することが可能となる。
【００３８】
又、海水淡水化装置から放流される濃縮海水と下水処理場からの処理水との混合比を放流海域に配置した塩分濃度計での測定値と放流海域における塩分濃度目標値との偏差に応じて調整する場合、放流海域の複数の箇所で塩分濃度を測定して、測定された塩分濃度の内、最大値の塩分濃度を選定して、この塩分濃度と塩分濃度目標値との偏差を求めるようにしたことを特徴とする。
【００３９】
海水淡水化装置から放流される濃縮海水と下水処理場からの処理水を混合して混合濃縮海水として海域に放流した場合、放流後の混合濃縮海水は海域に拡散していくが、その拡散状態は、放流海域における海底地形，水深，潮流流速，放流流量及び放流流速等の諸条件の影響を受けて異なる。この場合、混合濃縮海水が良好に海域に拡散されないで、局所的な領域において塩分濃度が高くなると、この影響により海洋生態系への影響が懸念される。
【００４０】
そこで、放流海域における局所的に高塩分濃度の海域を把握するため、放流海域の複数の箇所で塩分濃度を測定して、測定値の内、最大値を示す塩分濃度を選定し、この測定値と放流海域における塩分濃度目標値との偏差に応じて混合比を調整するようにしたものである。
【００４１】
これにより、局所的な高塩分濃度の海域に合わせて、放流する海域における塩分濃度を低減するように、目標値との偏差に応じて下水処理流量を増加させて混合比を高く調整し、放流する海域における塩分濃度を目標値に維持させることになる。この結果、放流海域における局所的な高塩分濃度海域の発生を抑制することができ、海洋生態系への影響も低減可能となる。
【００４２】
又、濃縮海水が放流される海域に塩分濃度を測定する塩分濃度計を配置して、前記塩分濃度計の測定値が予め設定された塩分濃度目標値よりも高いとき、下水処理場からの処理水を海域放流前の濃縮海水に混合して、混合した後の混合濃縮海水を海域に放流することを特徴とする。
【００４３】
海水淡水化装置からは常時濃縮海水が海域に放流されるため、放流する海域における塩分濃度は他の海域よりも高くなる。このため、放流海域の塩分濃度を通常海水の塩分濃度程度まで低下させないと、海洋生態系へ及ぼす影響が大きくなる。
【００４４】
そこで、濃縮海水放流海域の塩分濃度を低下させるために、濃縮海水の放流海域に塩分濃度計を配置して塩分濃度を測定し、この塩分濃度の測定値が予め設定された塩分濃度目標値よりも高いとき、希釈用の下水処理場からの処理水を海域放流前の濃縮海水に混合して、塩分濃度を低下させた混合濃縮海水を海域に放流するようにしたものである。
【００４５】
このようにすると、放流海域の塩分濃度が目標値よりも高くなった場合は、放流される濃縮海水は初期の塩分濃度よりも低い状態で海域に放流されることになる。この結果、塩分濃度が目標値よりも高くなった放流海域の塩分濃度は低下し、同海域における海洋生態系への影響を抑制することができる。
【００４６】
また、上述したように、放流海域の塩分濃度が塩分濃度目標値よりも高くなって、海水淡水化装置から放流される濃縮海水に下水処理場の処理水を混合する場合、下水処理場からの処理水の全流量を海水淡水化装置から放流される濃縮海水に混合することを特徴とする。
【００４７】
海水淡水化装置からの濃縮海水の放流に伴い海域の塩分濃度が目標値よりも高くなった場合、早急に海域の塩分濃度を低下させる必要があり、対応時間が遅れると海洋生態系へ及ぼす影響が甚大となる恐れがある。
【００４８】
そこで、早急に海域の塩分濃度を低下させるために、濃縮海水の塩分濃度を希釈する下水処理場から処理水の全流量を濃縮海水に混合して処理水の混合比を高くするようにしたものである。このようにすると、濃縮海水の塩分濃度は最大まで希釈されて海域に放流されることになるので、塩分濃度が目標値よりも高くなった海域の塩分濃度を早急に低下させることができる。この結果、放流海域の塩分濃度上昇に伴う生態系への対応が早急にできる。
【００４９】
又、海水淡水化装置からの濃縮海水が放流される濃縮海水放流管と下水処理場から処理水が放流される処理水放流管を合流させて、合流後の下流側を濃縮海水が放流される海域内に臨ませたことにある。
【００５０】
このような構成とすると、海水淡水化装置から放流される塩分濃度の高い濃縮海水を下水処理場から放流される処理水と混合することができ、処理水によって塩分濃度を希釈した濃縮海水を海域に放流することが可能となる。これによって、初期の塩分濃度の高い濃縮海水を直接放流するよりも、海域における海洋生態系への影響を抑制することができる。
【００５１】
又、海水淡水化装置からの濃縮海水が放流される濃縮海水放流管と下水処理場から処理水が放流される処理水放流管を合流させる場合、海水淡水化装置の設置位置を下水処理場の設置位置よりも低位置にして、両者に高低差を有するようにしたことにある。
【００５２】
このような位置構成とすると、海水淡水化装置から放流される濃縮海水に下水処理場から放流される処理水を混合する場合、高低差の位置エネルギーの利用が可能なり、処理水を混合するに際して例えば送水ポンプ等の設備と動力を使用しなくとも、処理水を自然流下で混合することが可能となる。この結果、濃縮海水を下水処理場からの処理水と混合して海域に放流する場合、混合に要する動力等のコスト削減が可能となる。
【実施例１】
【００５３】
本発明の実施例１を図１から図４を用いて説明する。図１は実施例１に係る海水淡水化装置の濃縮海水放流方法を説明するシステム構成図である。
【００５４】
海水Ｗは、取水管１を介して取水ポンプ２によって海域Ｓｚから取水されて逆浸透膜を使用する海水淡水化装置３に送られ、海水淡水化装置３で、後述するプロセスを得て海水から淡水の透過水Ｆｗが得られ、送水ポンプ４によって配水管５及び配水管網７を介して需要端６に供給される。需要端６にて使用された水や雨水の水Ｒｗは、下水Ｗｗとして下水管網８及び幹線管渠９を介して下水処理場１０に流入する。下水処理場１０では、後述する処理プロセスを得て流入下水が処理され、処理水Ｔｗとして系外に排出される。
【００５５】
海水淡水化装置３からの濃縮海水Ｃｗを系外に放流する濃縮海水放流管１１と、下水処理場１０からの処理水Ｔｗが放流される処理水放流管１２とが合流する。合流後の合流管１３の下流側は混合濃縮海水Ｃｗが放流される海域Ｓｚ内に臨んでいる。
【００５６】
図２は、海水淡水化装置のシステム構成図である。図２に示すように、逆浸透膜処理の対象となる海水Ｗは、取水ポンプ１によって海域Ｓｚから取水され、原水タンク２１に貯留された後、海水ポンプ２２にて流量計２５を介して砂ろ過器２３及びＭＦ膜装置２４に供給される。
【００５７】
流量計２５は砂ろ過器２３及びＭＦ膜装置２４への海水供給流量Ｑを測定する。流量計２５の測定値Ｑは演算器２６に入力される。演算器２６では、測定値Ｑに別途入力される塩素系殺菌剤注入率ＣＬが乗じられて塩素系殺菌剤注入量ＣＱが求められ、塩素系殺菌剤注入ポンプ２７によって塩素系殺菌剤Ｃが海水に注入される。
【００５８】
ここで、塩素系殺菌剤Ｃは海水ポンプ２２の吸込側で注入してもよく、後述する凝集剤注入前に注入すればよい。塩素系殺菌剤Ｃとしては、塩素ガスを水に注入して調製した塩素水または次亜塩素酸ナトリウム等が用いられ、殺菌剤の注入に伴い海水中の微生物等は殺菌または不活化される。
【００５９】
演算器２８には流量計２５から測定値Ｑが入力されて海水供給流量に換算され、凝集剤注入量ＰＱを求める。演算器２８には、予め設定された凝集剤注入率Ｐが入力され、海水供給流量と凝集剤注入率が乗じられて凝集剤注入量ＰＱが求められ、この凝集剤注入量ＰＱに応じた凝集剤Ｇが凝集剤注入ポンプ２９によって海水に注入される。
【００６０】
凝集剤Ｇとしては、ポリ塩化アルミニウムまたはポリシリカ鉄（ＳｉＯ2）ｎ・Ｆｅ2Ｏ3）等が用いられ、海水に注入された凝集剤Ｇは混合器（図示せず）にて撹拌混合されて、海水中の濁質分をマイクロフロック化し、このフロックは砂ろ過器２３にてろ過される。砂ろ過器２３にてろ過されなかった成分は下流側のＭＦ膜２４にてろ過され、その後、処理水タンク３０に導入される。
【００６１】
なお、本実施例では、凝集剤Ｇの注入後、砂ろ過器２３及びＭＦ膜２４を用いて濁質分を除去しているが、ＭＦ膜，ＮＦ膜等を用いてもよく、凝集処理後の濁質分の除去手段が特に限定されるものではない。
【００６２】
処理水タンク３０は保安フィルター３２に接続され、保安フィルター３２に接続された高圧ポンプ３１で、処理水タンク３０の処理水を加圧して逆浸透膜装置６０に供給水ＰＷとして送出する。保安フィルター３２は、高圧ポンプ３１及び逆浸透膜装置６０内の逆浸透膜３３への異物の侵入を阻止するため、高圧ポンプ３１の吸込側に配設されている。
【００６３】
高圧ポンプ３１にて逆浸透膜装置３１に供給される供給水ＰＷは５〜８ＭＰａ程度まで加圧されて逆浸透膜３３に供給され、この逆浸透膜３３を介して透過水ＦＷが淡水として取出される。透過水ＦＷは透過水タンク３４に貯留され、殺菌処理及びミネラル分添加が施された後、送水ポンプ４によって需要端６に供給される。
【００６４】
一方、逆浸透膜３３を透過しないは濃縮海水Ｃｗは被透過水側から排出され、その後、圧力回収タービン３５にてエネルギーが回収された後、系外に放流される。
【００６５】
図３は下水処理場の活性汚泥法による処理システムの一例を示す構成図である。図３に示すように、下水管網８及び幹線管渠９を介して下水処理場１０に流入した下水Ｉｓは、最初沈殿池３６を経て曝気槽３７に流入し、ブロワー３８にて一定時間、空気で曝気された後、最終沈殿池３９に流入する。最終沈殿池３９で、上澄水と沈殿した活性汚泥Ａｓに固液分離され、上澄水は越流して処理水Ｔｗとして系外に放流される。最終沈殿池３９で沈殿した活性汚泥Ａｓの一部は返送汚泥Ｒａとして曝気槽３７に返送され、再度、生物処理に使用される。
【００６６】
一方、一部の活性汚泥Ａｓは余剰汚泥として系外に抜き出され、その後、脱水処理される。なお、前記した下水処理場の流入下水処理において、最初沈殿池，曝気槽及び最終沈殿池からなるプロセスの活性汚泥法による下水処理法としたが、例えば、最終沈殿池を必要としない膜分離活性汚泥法であってもよく、下水処理場における流入下水の処理法が特に限定されるものでない。
【００６７】
上述したように海水淡水化装置３の濃縮海水放流プロセスが構成されている場合、海水淡水化装置３から濃縮海水Ｃｗが放流される濃縮海水放流管１１は、下水処理場１０から処理水Ｔｗが放流される処理水放流管１２と合流されているので、下水処理場１０から放流される処理水Ｔｗと濃縮海水Ｃｗが混合され、混合された混合濃縮海水Ｃｔとして海域Ｓｚに放流される。
【００６８】
海水淡水化装置３から放流される濃縮海水Ｃｗは、通常は海水の塩分濃度より高い塩分濃度であるが、濃縮海水Ｃｗに下水処理場１０から放流される処理水と濃縮海水Ｃｗとを混合することによって、混合後の混合濃縮海水Ｃｔの塩分濃度は低下し、塩分濃度の低い混合濃縮海水Ｃｔを海域に放流することができる。
【００６９】
図４に混合比Ｍと塩分濃度Ｓとの関係を示すように、下水処理場１０からの処理水Ｔｗを用いて、この処理水Ｔｗと濃縮海水Ｃｗを混合した場合、海水Ｗを用いた場合の同じ混合比と比較して、混合後の塩分濃度Ｓは低下する。ここで、濃縮海水Ｃｗの塩分濃度（６％を想定）を通常の海水塩分濃度（３.５％）まで低下させる混合比Ｍを求めると、下水処理水を濃縮海水Ｃｗに混合した場合、混合比Ｗは約０.７と低く、濃縮海水量Ｃｆに対して少ない処理水量Ｔｆで塩分濃度を低下させることができる。これに対して、海水Ｗを用いて濃縮海水Ｃｗの塩分濃度を低下させようとした場合、図１４に示したように、混合比Ｍは約１００と高く、多大な海水量を必要とする。
【００７０】
なお、処理水Ｔｗまたは海水Ｗと濃縮海水Ｃｗとの混合後の混合濃縮海水Ｃｔの塩分濃度Ｓは数１，数２に基づいて求めた。
（数１）
Ｓ＝｛（Ｗｏ×Ｍｂ｝＋Ｎｓ／（１＋Ｍｂ）｝                        …（１）
（数２）
Ｓ＝｛Ｎｓ／（１＋Ｍｂ）｝                                        …（２）
【００７１】
ここで、Ｓは混合濃縮海水塩分濃度（％）、Ｗｏは海水塩分濃（３.５％）、Ｍｂは海水混合倍率、Ｎｓは濃縮海水塩分濃度（６％）である。
【００７２】
一方、混合比Ｍは数３で表したが、濃縮海水量Ｃｆを混合量Ｔｆで除して、混合比Ｍとして表してよい。また、数４で示すように、混合率Ｍｒとしてもよく、混合比または混合率は同じ概念で表現され、特に限定されるものではない。
（数３）
混合比Ｍ＝（混合量Ｍｆ／濃縮海水量Ｃｆ）                          …（３）
（数４）
混合率Ｍｒ＝（混合量Ｍｆ／（混合量Ｍｆ＋濃縮海水量Ｃｆ）          …（４）
【００７３】
ここで、混合量Ｍｆ＝（処理水量Ｔｆまたは海水量Ｗｆ）である。
【００７４】
このように、海水淡水化装置３から放流される濃縮海水を海域Ｓｚに直接放流する場合と比較して放流海域における塩分濃度の上昇が抑制されることになる。
【００７５】
以上説明したように、海水淡水化装置３からの濃縮海水Ｃｗを下水処理場１０からの処理水Ｔｗと混合した後に海域Ｓｚに放流することによって、放流海域における塩分濃度上昇が抑制されるので、海洋生態系への影響が低減可能な海水淡水化装置の濃縮海水放流方法とすることができる。
【実施例２】
【００７６】
本発明の実施例２を図５から図７を用いて説明する。図５は、実施例２に係る海水淡水化装置の濃縮海水放流方法を説明するシステム構成図であり、実施例１と同様に構成されている。
【００７７】
海水淡水化装置３から放流される濃縮海水Ｃｗの濃縮海水放流管１１には、濃縮海水Ｃｗの濃縮海水流量Ｆｃを測定する濃縮海水流量計４０が設置され、濃縮海水流量計４０の両側には、海水淡水化装置３から放流される濃縮海水Ｃｗの塩分濃度Ｓｃを測定する塩分濃度計４２が設置されている。塩分濃度計４２は、濃縮海水Ｃｗをサンプリングして塩分濃度Ｓｃを測定する。
【００７８】
濃縮海水流量計４０と塩分濃度計４２との間には、下水処理場１０から放流される処理水Ｔｗの処理水放流管１２が接続され、処理水放流管１２には下水処理場１０から放流される処理水Ｔｗの処理水流量Ｆｔを測定する処理水流量計４１が取付けられ、処理水流量計４１の上流側には処理水流量調節手段４３が配設されている。すなわち、処理水流量調節手段４３は、濃縮海水放流管１１と合流する付近の処理水放流管１２の下流側に配設されている。又、処理水流量計４１は、流量制御器４６を介して処理水流量調節手段４３に接続されている。
【００７９】
処理水放流管１２から分岐した処理水放流分岐管１２Ａが設置されており、下水処理場１０からの処理水流量Ｆｔの内、濃縮海水ＣＷに混合する必要処理水流量Ｎｗを除いた余分の処理水量が存在する場合、処理水放流分岐管１２Ａから処理水Ｔｗを放流域（例えば、海域）に放流するようになっている。
【００８０】
このように構成されている場合、海水淡水化装置の濃縮海水放流方法のシステムフローの詳細図である図６に示すように動作する。
【００８１】
濃縮海水流量計４０で測定された濃縮海水流量Ｆｃと塩分濃度計４２で測定された濃縮海水の塩分濃度Ｓｃは、処理水流量制御器４４に入力される。処理水流量制御器４４の演算器４５では入力された濃縮海水流量Ｆｃと濃縮海水塩分濃度Ｓｃ及び混合濃縮海水の塩分濃度の設定目標値Ｓｏに基づいて、濃縮海水に混合する必要処理水流量Ｎｗを数５により演算する。
（数５）
Ｎｗ＝｛Ｆｃ−（Ｓｃ／Ｓｏ）×Ｆｃ｝                              …（５）
【００８２】
演算器４５で求められた必要処理水流量Ｎｗは流量制御器４６に入力され、流量制御器４６からの信号により、処理水流量調節手段４３は処理水流量計４１の流量信号を入力して必要処理水流量Ｎｗとなるように開度を調節する。
【００８３】
演算器４７には濃縮海水流量Ｆｃと前記演算器４５で求められた必要処理水流量Ｎｗが入力されて、数６により混合比Ｍを演算する。
（数６）
Ｍ＝Ｎｗ／Ｆｃ                                                    …（６）
【００８４】
なお、濃縮海水流量Ｆｃ及び濃縮海水塩分濃度Ｓｃの変動が少ない場合等は、図７に示すように、予め塩分濃度設定目標値Ｓｏと混合比Ｍの関係が入力された演算器４８に、処理水を混合した後の混合濃縮海水の塩分濃度設定目標値Ｓｏを入力して、混合比Ｍを求める。そして、求めた混合比Ｍｗと濃縮海水流量Ｆｃを演算器４９に入力して、数７に従い必要処理流量Ｎｗを求めてもよい。
（数７）
Ｎｗ＝Ｆｃ×Ｍ                                                    …（７）
【００８５】
上述したように、濃縮海水流量Ｆｃとこれに混合する処理水流量Ｎｗの混合比Ｍが適正に調整されて混合濃縮海水の塩分濃度が設定目標値に維持される場合、混合濃縮海水の塩分濃度を任意に低くすることができるので、塩分濃度が高くなることがない。この結果、高濃度塩分の混合濃縮海水の海域放流に伴う海洋生態系への影響が解消可能となる。
【００８６】
また、濃縮海水Ｃｗに処理水ＴＷｗ混合するに際、濃縮海水流量を調節しないで、濃縮海水Ｃｗに混合する必要処理水流量を調節して、この必要処理水流量の増減にて混合比を設定値に維持することにより混合比の調整設定が容易に行える。
【実施例３】
【００８７】
本発明の実施例３を図８を用いて説明する。図８は、実施例３に係る海水淡水化装置の濃縮海水放流方法を説明するシステム構成図であり、実施例２と同様に構成されている。
【００８８】
実施例３では、合流管１３から分岐した配管に塩分濃度計６１が設置され、塩分濃度計６１は海水淡水化装置３から放流された濃縮海水Ｃｗと下水処理場１０から放流された処理水Ｔｗとを混合した後の混合濃縮海水Ｃｔの塩分濃度Ｃｓを測定する。すなわち、塩分濃度計６１は合流管１３から混合濃縮海水Ｃｔをサンプリングして塩分濃度Ｃｓを測定する。
【００８９】
補正処理水制御器５１の演算器５２には、塩分濃度計４２で測定された塩分濃度Ｃｓ及び混合濃縮海水Ｃｔの塩分濃度の設定目標値Ｓｏが入力され、演算器５２では設定目標値Ｓｏと塩分濃度Ｓｃの偏差±ΔＳが求められる。
【００９０】
必要補正処理水流量Ｎｈを求める演算器５３には、演算器５２で求められた偏差±ΔＳ、海水淡水化装置３から放流される濃縮海水流量Ｆｃ、及び混合濃縮海水の設定目標値Ｓｏが入力され、数８に従い必要補正処理水流量Ｎｈが求められる。
（数８）
Ｎｈ＝｛Ｆｃ−（±ΔＳ／Ｓｏ）×Ｆｃ｝                            …（８）
【００９１】
演算器５３で求められた必要補正処理水流量Ｎｈと、実施例２で説明した演算器４５又は演算器４９で求められた必要処理水流量Ｎｗが演算器５４に入力される。ここで、必要処理水流量Ｎｗが増減されて混合比Ｍが調整される。
【００９２】
一方、調整補正後の必要処理水流量Ｎｗ及び処理水流量計４１の流量信号は流量制御器４６に入力される。この流量制御器４６により、処理水流量調節手段４３は処理水流量計４１の流量信号に従い開度を調節して調整補正後の必要処理水流量Ｎｗに調節し、混合濃縮海水Ｃｔの塩分濃度Ｃｓを設定目標値Ｓｏに維持する。
【００９３】
このように、混合濃縮海水の塩分濃度を測定して、この塩分濃度と塩分濃度設定目標値との偏差に応じて混合比を調整するようにした場合、混合濃縮海水の塩分濃度が高くとも、目標値との偏差に応じて混合比を高く調整して混合する処理水流量を増加させ、混合濃縮海水の塩分濃度が目標値に維持される。これにより、混合濃縮海水は設定した塩分濃度に維持されて海域に放流されることになるので、高塩分濃度濃縮海水放流に伴う海洋生態系への影響は抑制される。
【実施例４】
【００９４】
本発明の実施例４を図９を用いて説明する。図９は、実施例４に係る海水淡水化装置の濃縮海水放流方法を説明するシステム構成図であり、実施例３と同様に構成されている。
【００９５】
塩分濃度計６２は混合濃縮海水Ｃｔの放流海域Ｓｚに配置され、この海域Ｓｚの塩分濃度Ｃｚを測定する。塩分濃度計６２は、蓄電部（図示せず）と発振部（図示せず）を備えて係留ブイを有して海面に浮上し、内蔵する採取ポンプ（図示せず）にて海水Ｗをサンプリングし、海水の塩分濃度Ｃｚを測定する。
【００９６】
塩分濃度計６２からは塩分濃度Ｓｚの測定値が送信され、地上に配置された受信機６３にて測定値が受信される。なお、塩分濃度計６２からの出力をケーブルを介して地上に伝送するようにしてもよい。
【００９７】
海域Ｓｚに配置された塩分濃度計６２で測定された塩分濃度Ｃｚの測定値は、補正処理水制御器５１に入力されて必要補正処理水流量Ｎｈが求められ、実施例２で説明した演算器４５又は演算器４９で求められた必要処理水流量Ｎｗと必要補正処理水流量Ｎｈが演算器５４に入力され、必要処理水流量Ｎｗは増減されて混合比Ｍが調整される。一方、調整補正後の必要処理水流量Ｎｗ及び処理水流量計４１の流量信号が流量制御器４６に入力される。この流量制御器４６により、処理水流量調節手段４３は、処理水流量計４１の流量信号に従い開度を調節して調整補正後の必要処理水流量Ｎｗに調節し、混合濃縮海水Ｃｔの塩分濃度Ｃｓを設定目標値Ｓｏに維持する。
【００９８】
このように、放流海域に配置した塩分濃度計で測定された塩分濃度と予め設定した放流海域における塩分濃度目標値との偏差に応じて混合比を調整することができる。
【００９９】
以上説明したように、混合濃縮海水の放流領域における測定された塩分濃度が高い場合、放流海域における塩分濃度規準値との偏差に応じて下水処理流量を増加させて混合比を高く調整し、放流海域における塩分濃度を目標値に維持することができる。これにより、混合濃縮海水の放流海域における塩分濃度が目標値よりも高くなるのが抑制されて、高塩分濃度による海洋生態系への影響を解消することが可能となる。
【実施例５】
【０１００】
本発明の実施例５を図１０を用いて説明する。図１０は、実施例５に係る海水淡水化装置の濃縮海水放流方法を説明するシステム構成図であり、実施例４と同様に構成されている。
【０１０１】
塩分濃度計６２ａ，６２ｂ及び６２ｃは、混合濃縮海水Ｃｔの放流海域Ｓｚに複数配置され、この海域Ｓｚの塩分濃度Ｃｚを複数箇所で測定する。塩分濃度計６２ａ，６２ｂ及び６２ｃからは塩分濃度Ｓｚの測定値が送信され、地上に配置された受信機６３にて測定値が受信される。
【０１０２】
判定器７１は、複数の塩分濃度計６２ａ，６２ｂ及び６２ｃで測定された塩分濃度Ｃｓ１，Ｃｓ２及びＣｓ３の内、最大値を示す塩分濃度を選定する。選定された塩分濃度Ｃｓの測定値は、補正処理水制御器５１の演算器５２に入力される。ここで、必要補正処理水流量Ｎｈが求められ、必要補正処理水流量Ｎｈと、実施例２で説明した演算器４５又は演算器４９で求められた必要処理水流量Ｎｗが演算器５４に入力され、必要処理水流量Ｎｗは増減されて混合比Ｍが調整される。
【０１０３】
調整補正後の必要処理水流量Ｎｗ及び処理水流量計４１の流量信号は、流量制御器４６に入力される。この流量制御器４６により、処理水流量調節手段４３は処理水流量計４１の流量信号に従い開度を調節して調整補正後の必要処理水流量Ｎｗに調節し、混合濃縮海水Ｃｔの塩分濃度Ｃｓを設定目標値Ｓｏに維持する。
【０１０４】
このように、本実施例は、放流海域における局所的に高塩分濃度の海域を把握するため、放流海域の数の箇所で塩分濃度を測定して、測定値の内、最大値を示す塩分濃度を選定し、この測定値と放流海域における塩分濃度目標値との偏差に応じて混合比を調整するようにしたものである。このため、局所的な高塩分濃度の海域に合わせて、放流海域における塩分濃度を低減するように、目標値との偏差に応じて処理水流量を増加させて混合比を高く調整し、放流海域における塩分濃度を目標値に維持させることになる。この結果、放流海域における局所的な高塩分濃度海域の発生を抑制することができ、海洋生態系への影響も低減可能となる。
【実施例６】
【０１０５】
本発明の実施例６を図１１を用いて説明する。図１１は、実施例６に係る海水淡水化装置の濃縮海水放流方法を説明するシステム構成図であり、実施例１と同様に構成されている。
【０１０６】
海水淡水化装置３から放流される濃縮海水Ｃｗの濃縮海水放流管１１には、下水処理場１０から放流される処理水Ｔｗの処理水放流管１２が接続され、処理水放流管１２には処理水流量調節手段４３が配設されている。処理水放流管１２から分岐された処理水放流管１２ｂにも処理水流量調節手段４３が配設されている。
【０１０７】
塩分濃度計６２は混合濃縮海水Ｃｔの放流海域Ｓｚに配置され、この海域Ｓｚの塩分濃度Ｃｚを測定する。塩分濃度計６２からは塩分濃度Ｓｚの測定値が送信され、地上に配置された受信機６３にて測定値が受信される。
【０１０８】
塩分濃度計４２で測定された塩分濃度Ｃｓの測定値は、受信機６３を介して演算器５２に入力される。演算器５２には、放流海域における塩分濃度設定目標値Ｓｏ入力され、目標値Ｓｏと測定された塩分濃度の測定値Ｃｓの偏差±Δが求められる。偏差＋Δが目標値Ｓｏを上回る場合、演算器５２からの出力に基づいて流量制御器４６は処理水流量調節手段４３ａを開放し、処理水流量調節手段４３ｂを閉じる。また、放流海域の塩分濃度Ｃｓが設定目標値Ｓｏよりも高い場合、必要に応じて全処理水流量を濃縮海水Ｃｗに混合する。
【０１０９】
このように処理水流量調節弁４３ａが開放された場合、海水淡水化装置３からの濃縮海水Ｃｗには下水処理場１０からの処理水Ｔｗが混合され、この混合された混合濃縮海水Ｃｔが海域Ｓｚに放流されることになる。
【０１１０】
本実施例では、濃縮海水放流海域の塩分濃度を低下させるために、濃縮海水の放流海域に塩分濃度計を配置して塩分濃度を測定し、この塩分濃度の測定値が予め設定された塩分濃度目標値よりも高いとき、処理水を海域放流前の濃縮海水に混合して、塩分濃度を低下させた混合濃縮海水を海域に放流するようにしたものである。このようにすると、放流海域の塩分濃度が規準値よりも高くなった場合は、放流される濃縮海水は初期の塩分濃度よりも低い状態で海域に放流されることになる。この結果、塩分濃度が規準値よりも高くなった放流海域の塩分濃度は低下し、同海域における海洋生態系への影響を抑制することができる。
【０１１１】
また、本実施例では、放流海域の塩分濃度が塩分濃度目標値よりも高くなって、濃縮海水に処理水を混合する場合、下水処理場からの処理水の全流量を濃縮海水に混合するようにしている。このようにすると、濃縮海水の塩分濃度は最大まで希釈されて海域に放流されることになるので、塩分濃度が目標値よりも高くなった海域の塩分濃度を早急に低下させることができる。この結果、放流海域の塩分濃度上昇に伴う生態系への対応が早急にできる。
【実施例７】
【０１１２】
本発明の実施例７を図１２を用いて説明する。図１２は、実施例７に係る海水淡水化装置の濃縮海水放流方法を説明するシステム構成図であり、実施例１と同様に構成されている。
【０１１３】
海水淡水化装置３からの濃縮海水Ｃｗが放流される濃縮海水放流管１１と、下水処理場１０から処理水が放流される処理水放流管１２は合流するように接続されている。そして、合流後の下流側は濃縮海水Ｃｗが放流される海域Ｓｚ内に臨ませてある。
【０１１４】
本実施例では、海水淡水化装置３の設置位置を下水処理場１０の設置位置よりも低位置に配置して、両者に高低差ｈを有するように設定してある。
【０１１５】
このようにすると、海水淡水化装置３から放流される塩分濃度の高い濃縮海水を下水処理場１０から放流される処理水と混合することができ、処理水によって塩分濃度を希釈した濃縮海水を海域に放流することが可能となる。これによって、初期の塩分濃度の高い濃縮海水を直接放流するよりも、海域における海洋生態系への影響を抑制することができる。
【０１１６】
又、海水淡水化装置３の設置位置を下水処理場１０の設置位置よりも低位置にして設定しているので、海水淡水化装置から放流される濃縮海水に下水処理場から放流される処理水を混合する場合、処理水を自然流下で混合することが可能となる。この結果、濃縮海水を下水処理場からの処理水と混合して海域に放流する場合、混合に要する動力等のコスト削減が可能となる。
【符号の説明】
【０１１７】
３  海水淡水化装置
４  送水ポンプ
７  配水管網
１０  下水処理場  
１１  濃縮海水放流管
１２  処理水放流管
３３  逆浸透膜
４２，６２  塩分濃度計
【図１】
0005492759.tif 000002
【図２】
0005492759.tif 000003
【図３】
0005492759.tif 000004
【図４】
0005492759.tif 000005
【図５】
0005492759.tif 000006
【図６】
0005492759.tif 000007
【図７】
0005492759.tif 000008
【図８】
0005492759.tif 000009
【図９】
0005492759.tif 000010
【図１０】
0005492759.tif 000011
【図１１】
0005492759.tif 000012
【図１２】
0005492759.tif 000013
【図１３】
0005492759.tif 000014